(57)【要約】  【目的】  液収容筒に隔壁部材を挿入する際、空気の抵抗力を係りにくくして、組立しやすく、空気溜まりのできない製造方法を提供する。  【構成】  修正液を充填した液収容筒に、修正液の界面に隔壁部材を配置する製造方法で、隔壁部材を押し棒で押し込んで挿入するのに、押し棒が、隔壁部材に対する押当接部より後方に押圧によって変形される隔壁部材の変形逃げ部となる空間を確保し、隔壁部材の変形部分を空間に誘導する方法と、吸引ノズルによって吸引して隔壁部材を縮径させる方法とによって、隔壁部材と液収容筒の内壁と間に空気逃げ通路を形成しつつ隔壁部材を挿入移動させる。   【選択図】        図３
2005313369.tif 000002
【特許請求の範囲】
【請求項１】
一端が密閉された液収容筒に、この液収容筒の内壁に周状に当接する弾性変形可能な隔壁部材を圧入状態で配置する液収容筒の製造方法であって、押し棒によって押し込んで隔壁部材を液収容筒内に挿入するものにおいて、前記押し棒が、隔壁部材に対する押当接部より後方に押圧によって変形される隔壁部材の変形逃げ部となる空間を確保し、前記隔壁部材を押すことによって、隔壁部材の変形部分を変形逃げ部となる空間に誘導して、隔壁部材と液収容筒の内壁と間に空気逃げ通路を形成しつつ隔壁部材を挿入移動させる液収容筒の製造方法。
【請求項２】
前記隔壁部材が有底筒状であり、前記押し棒にて底部を押すことによって、隔壁部材の変形部分を変形逃げ部となる空間に誘導して、隔壁部材と液収容筒の内壁と間に空気逃げ通路を形成しつつ隔壁部材を挿入移動させる請求項１に記載の液収容筒の製造方法。
【請求項３】
一端が密閉された液収容筒に、この液収容筒の内壁に周状に当接する弾性変形可能な隔壁部材を圧入状態で配置する液収容筒の製造方法において、前記隔壁部材が平板状又は有底筒状であると共に、吸引ノズルを隔壁部材に当接させて吸引力によって隔壁部材の少なくとも一部を縮径させて液収容筒内壁との間に空気逃げ通路を形成しつつ隔壁部材を挿入移動させる液収容筒の製造方法。
【発明の詳細な説明】
【技術分野】
【０００１】
本発明は、筆記具、塗布具、化粧具などの一端が密閉された液収容筒に、この液収容筒の内壁に周状に当接する弾性変形可能な隔壁部材を圧入状態で配置する液収容筒の製造方法にであって、押し棒によって押し込んで隔壁部材を液収容筒内に挿入するものに関する。
【背景技術】
【０００２】
従来、筆記具や塗布具用のインキや修正液、糊、液状の化粧料など塗布液を収容する液収容室内に、弾性体や、合成樹脂性の隔壁部材が配置され、この隔壁部材より前方に充填されたインキが消費されると、隔壁が液密に前進する筆記具や、隔壁部材の後部に密閉した圧縮気体や、バネを配置して、この圧縮気体の押圧力やバネの弾発力にて隔壁部材を前方付勢して塗布液の塗布先よりの吐出支援をなす塗布具が知られている。
【０００３】
例えば、隔壁部材として自己潤滑性粉末が分散した合成樹脂にて成形されたものを配置し、インキが消費されると、隔壁部材が液密に前進する筆記具（特許文献１参照）や、塗布液を収容する容器内にバネを配置して塗布液の界面上に球状の部材を圧設したもの（特許文献２参照）が知られている。
【特許文献１】特開昭６４−００５８９７号公報
【特許文献２】特表２００３−５２５７７５公報
【発明の開示】
【発明が解決しようとする課題】
【０００４】
隔壁部材の移動によってインキの消費に伴って液収容筒の容積を縮小してゆく直液式筆記具では、隔壁部材によって液収容室内を密閉して、インキ漏れを防止しているが、隔壁部材を液収容筒内に挿入する際、押し棒などで隔壁を押し込み、隔壁外周を液収容筒内壁に密着させながらスライドさせることが考えられるが、液収容筒内にあらかじめ存在している空気を圧縮することになり、無理に押し込んでも空気圧にて隔壁部材が押し戻され所望の位置に配置することが難しいものであった。
【課題を解決するための手段】
【０００５】
請求項１記載の発明にかかる液収容筒の製造方法は、一端が密閉された液収容筒に、この液収容筒の内壁に周状に当接する弾性変形可能な隔壁部材を圧入状態で配置する液収容筒の製造方法であって、押し棒によって押し込んで隔壁部材を液収容筒内に挿入するものにおいて、前記押し棒が、隔壁部材に対する押当接部より後方に押圧によって変形される隔壁部材の変形逃げ部となる空間を確保し、前記隔壁部材を押すことによって、隔壁部材の変形部分を変形逃げ部となる空間に誘導して、隔壁部材と液収容筒の内壁と間に空気逃げ通路を形成しつつ隔壁部材を挿入移動させる液収容筒の製造方法である。
【０００６】
また、請求項２記載の発明にかかる液収容筒の製造方法は、前記隔壁部材が有底筒状であり、前記押し棒にて底部を押すことによって、隔壁部材の変形部分を変形逃げ部となる空間に誘導して、隔壁部材と液収容筒の内壁と間に空気逃げ通路を形成しつつ隔壁部材を挿入移動させる請求項１に記載の液収容筒の製造方法である。
【０００７】
更に、請求項３に記載の発明にかかる液収容筒の製造方法は、一端が密閉された液収容筒に、この液収容筒の内壁に周状に当接する弾性変形可能な隔壁部材を圧入状態で配置する液収容筒の製造方法において、前記隔壁部材が平板状又は有底筒状であると共に、吸引ノズルを隔壁部材に当接させて吸引力によって隔壁部材の少なくとも一部を縮径させて液収容筒内壁との間に空気逃げ通路を形成しつつ隔壁部材を挿入移動させる液収容筒の製造方法である。
【発明の効果】
【０００８】
一端が密閉された液収容筒に、この液収容筒の内壁に周状に当接する弾性変形可能な隔壁部材を圧入状態で配置する際に、隔壁部材が押し棒にて押される力を受けると同時に反対側の空気からも押されることとなるので、押し棒と液収容筒の内壁との間に、空気によって押し戻されて変形した隔壁部材の一部が充分変形できるだけの間隔を存するので、また、吸引によってあらかじめ隔壁部材が液収容筒の内壁よりも小径の状態に変形されるので、この変形によって空気の通路を確保し、液収容筒内の空気を逃がしながら隔壁部材を挿入するので、極力少ない力で、かつ空気を抜きながら配置することができ、量産効率が高く、筆記具や塗布具とした際にも液収容筒内に空気が残存しない状態を形成でき、空気による液吐出の悪影響を極力回避でき、不良率の低減に寄与できるものである。
【発明を実施するための最良の形態】
【０００９】
本発明の液収容筒の製造方法は、液収容筒の内壁に周接する隔壁部材にて、筒内をインキなどの内溶液が収容される部分とそれ以外の部分に分割する場合に有効に機能するものである。即ち、液収容筒の内壁と周接している隔壁部材を筒内に押し込もうとすると、壁面との摩擦抵抗のほかに空気を圧縮することになることから大きな移動抵抗が働くので、積極的に空気を逃がしたり、壁面との摩擦抵抗を低減することにより、隔壁部材の効率的かつ円滑な設置が可能となる。
特に、内容液が高粘度の場合など、内容液が自身の流動性のみでは吐出が困難となるものなど、液収容筒の内部に塗布液と共に圧縮気体を封入して、この圧縮気体の力によって液吐出の支援をなす塗布具では、隔壁部材が、高度な液密・気密性を要求されるので、壁面との摩擦抵抗も大きなものとなるので、圧縮される空気による移動抵抗にも加えて、隔壁部材を設置し難いものとなるが、本発明によれば、容易かつ確実に隔壁部材を設置することができる。
【００１０】
例えば、図１に示したものは、液収容筒１の内部に修正液２と共に圧縮気体を封入し、圧縮気体の反発力にて修正液を吐出する支援となす塗布具である。修正液２は、塗布後の塗布面の速乾性を必要とするので、比較的低沸点の炭化水素系有機溶剤であるメチルシクロヘキサンを使用し、着色剤として、白色度、隠蔽力、屈折率が比較的大きいことから酸化チタンを用いており、この酸化チタンの比重が重たく沈降してしまうので、粘度を７００ｍＰａ・ｓ（Ｂ型粘度計Ｎｏ．３ローター、６０ｒｐｍ、２５℃）の高粘度に設定してあり、このような高粘度の塗布具であるために圧縮空気にて液吐出の支援をなすものである。
【００１１】
液収容筒１は、透明性を有したガス透過性の低い材質を使用すると、圧縮気体を封入した場合に経時的に圧力が低下しなく、例えば、ポリエチレンナフタレートポリエチレンテレフタレートコポリマーの押出成形品が使用できる。ポリプロピレンやポリエチレンテレフタレート、アクリル樹脂、ナイロンなども使用可能であるが、ガス透過性や修正液の溶剤との反応性などを考慮して内面に不活性でガス非透過性の高い層を形成するなどすることが好ましい。
【００１２】
液収容筒１の先端には、ポリブチレンテレフタレートの射出成形品である前軸３が接続されている。また、前軸３の先端には、ボール４が回転自在に抱持されたボールホルダー５が接続されている。ボール４はコイルスプリング６にて前方付勢されており、ボールホルダー５の内縁に液密に当接して修正液２の吐出を制御する弁として機能している。接続方法は、圧入接続にのみ限られるものではなく、接着剤、熱、超音波、振動による溶着などが挙げられ、生産性、密閉性、液収容筒１や前軸３、ボールホルダー５の材質による耐久性を考慮して適宜行うことができる。
【００１３】
液収容筒１内の修正液２の界面に接触して、修正液２の消費に伴う修正液２の界面の移動に追従して液収容筒内壁と気密に接触しながら移動する隔壁部材８が配置されている。隔壁部材８は、板状の形状を有し、硬度６０゜（デュロー硬度  タイプＡ）の、ニトリルゴムでできた成型品である。ニトリルゴム以外にも、水素化ニトリルゴム、フッ素ゴムや、熱可塑性エラストマーであるポリエステル系のエラストマーなどが上げられる。この隔壁部材８は、前軸３と同様、修正液２と直接接触しているので、修正液２の主溶剤であるメチルシクロヘキサンにより、膨潤、融解、溶解、分解などによる形状変化が起こりにくい材質としている。
【００１４】
液収容筒１の後端開口部は尾栓９で密閉され、尾栓９と隔壁部材８の間の空間には、ゲージ圧（ゲージ名：日本電産コパル電子株式会社製  ハンディマノメーターＰＧ−１００  標準大気圧１０１．３ｋＰａとの差圧を表示するゲージ）で１３０ｋＰａ〜２７０ｋＰａの圧縮空気７が充填されている。圧縮空気７による圧力は、隔壁部材８を介して修正液２を後ろから押して吐出の支援をなしている。尾栓９はポリブチレンテレフタレートの射出成形品であって、液収容筒１の内方側に開口部を有する有底筒体の形状を有しており、圧縮空気７と直接接触しているので、液収容筒１と同様に、ガス透過性の低い材質としている。尾栓９の接続方法は、前述した前軸３及びボールホルダー５の場合と同じように、圧入接続にのみ限られず、生産性、密閉性、液収容筒１や尾栓９の材質による耐久性を考慮して適宜行うことができる。
【実施例】
【００１５】
以下、一例について図２、図３に基づき説明する。
図２は、液収容筒１内に隔壁部材８を挿入し始めた状態を示す縦断面図である。事前に、修正液２を液収容筒１の後端開口部１ａ側から、充填ノズルなどでボールホルダー５側に充填した後、隔壁部材８を、後端開口部１ａのやや内方に、指で押し込むなどして隔壁部材８の周面に設けた外方突部８ａを液収容筒内壁１ｂに当接した状態に仮セットする。次いで、隔壁部材８を液収容筒内方に押し込む為の治工具である押し棒１０を、液収容筒１の後端開口部１ａ側から挿入して押し棒の端面１０ａを隔壁部材８の上面８ｂの中心部に当接させる。
【００１６】
その後、図３に示すように、押し棒の端面１０ａを隔壁部材８の上面８ｂの中心部に当接させたまま修正液２の界面２ａまで押し込む。
押し棒１０（隔壁部材の形状を図示しているため、押し棒１０は破線にて省略して表示してある）にて隔壁部材８を押し込んでいくときに、隔壁部材８が液収容筒１の内壁に周状に当接しているので、修正液２側にある空気が押圧力を受けて圧縮され、その圧縮空気の反発力が隔壁部材８の修正液２側の面である下面８ｃに作用して、板状の弾性部材で形成した隔壁部材８を後方に変形させようとする力が働く。押し棒１０の横断面図である図４に示す通り、押し棒１０は、横断面が十文字状となる放射状の四枚の板状部分からなっており、押し棒１０が隔壁部材８に当接しない部分を十分に確保しているので、隔壁部材８が変形して後退できる空間１１が確保され、隔壁部材８と液収容筒１の内壁との間に圧縮空気が通過する空間が形成されて図３の矢印にて示したように圧縮空気が抜けて、空気の圧縮状態は解消される（図３）。４枚の板状部分を放射状に配置することによって、押したときの隔壁部材８が縦回転してしまうことも防止しているが、この縦回転を防止するには、最低３枚の板状部分が放射状に配置されていればよい。尚、図３は図４のＩ−Ｉ’線での縦断面矢視図に相当する。
【００１７】
隔壁部材８が修正液２の界面２ａに当接した時点で押し棒１０の押圧力を解除することにより、隔壁部材８は弾性変形によって元の形に戻り、液収容筒１と圧入密閉される。この方法により極力少ない押圧力で隔壁部材８を修正液２の界面２ａに配置することができるので、量産効率が高く、液収容筒１内に空気が残存しない状態を形成できた。
【００１８】
図５、図６に他の一例を示す。
図５は上述の例の図２と同様に隔壁部材１２を押し棒１３で押し込む前の仮セットした図を示している。隔壁部材１２は底部を修正液２側に向け、後端側に開口部を有する有底筒状部材であり、側面に周状の外方突部１２ａを設けて液収容筒１の内壁１ｂに周状に当接されている。その隔壁部材１２の筒部分１２ｂが液収容筒１の内壁との関係で隔壁部材１２の縦回転を防止し得るので、上述の一例のような、液収容筒１の内壁近傍にまで延在した押し棒の板状部分は必要なく、液収容筒１の内径よりも十分に小さな外径の単なる棒状部材で十分である。その後押し棒の端面１３ａを隔壁部材１２の底面１２ｃに当接させたまま修正液２の界面２ａまで押し込む。
【００１９】
図６に示すように、押し棒１３で底面１２ｃを押すと、液収容筒１の内壁と外方突部１２ａが周状に当接しているので、上述の一例と同様に修正液２側にある空気が押圧力を受けて圧縮さる。押し棒１３は、隔壁部材１２に当接しない空間１４を十分に確保しているので、圧縮された空気の反発力を受けて隔壁部材１２の修正液２側の底面１２ｄや側面１２ｅに作用して、押し棒１３が隔壁部材１２に当接していない部分を内方に変形させる。この変形によって隔壁部材１２と液収容筒１の内壁との間に圧縮空気が通過する空間が形成されて矢印の方向に空気が通過し、圧縮状態は解消される。
【００２０】
更に他の一例について説明する。
上述の例とは異なり、隔壁部材を押すことによって変形させるのではなく、パイプ状のノズル１５にて隔壁部材を吸引してこれを縮径させる方法である。
図７に示したものは、板状の隔壁部材８を設置する場合で、吸引によってノズル１５の内孔に変形した隔壁部材８の肉が移動することによって、その分外側の最外径部分が縮径して、その周りに空気通路を確保しながら挿入し、液界面に達した段階で吸引を解除して配置するものである。
【００２１】
図８に示したものは、有底筒状の隔壁部材１２を設置する場合で、筒状部分の開口部にノズル１５の口を当てて吸引することによって、筒状部分１２ｂを縮径して周囲に空気通路を確保しながら挿入し、液界面に達した段階で吸引を解除して配置するものである。
【００２２】
押し棒による押し込み方法とは異なり、吸引によって隔壁部材の最大外径部分を十分に縮径させ、液収容筒の内壁１ｂに接触させずに修正液の界面まで挿入することが可能であるので、液収容筒との摩擦抵抗が発生しない。液収容筒１の材質によっては、隔壁部材との摩擦抵抗が大きい場合が有るが、本例の場合には、隔壁部材を押し込む時に液収容筒に接触しなければ、摩擦抵抗を全く受けないので組立が容易となる。また抵抗を少なくする為にシリコンオイルなどの潤滑剤を塗布したりする必要もないので経済的である。
【図面の簡単な説明】
【００２３】
【図１】修正液塗布具の縦断面図。
【図２】一例を示す縦断面図。
【図３】一例を示す縦断面図。
【図４】押し棒１０の横断面図。
【図５】他の一例を示す縦断面図。
【図６】他の一例を示す縦断面図。
【図７】更に他の一例を示す縦断面図。
【図８】更に他の一例を示す縦断面図。
【符号の説明】
【００２４】
１  液収容筒
１ａ  後端開口部
１ｂ  内壁
２  修正液
２ａ  界面
３  前軸
４  ボール
５  ボールホルダー
６  コイルスプリング
７  圧縮空気
８  隔壁部材
８ａ  外方突部
８ｂ  上面
８ｃ  下面
９  尾栓
１０  押し棒
１０ａ  端面
１１  空間
１２  隔壁部材
１２ａ  外方突部
１２ｂ  筒部分
１２ｃ  底面
１２ｄ  底面
１２ｅ  側面
１３  押し棒
１３ａ  端面
１４  空間
１５  ノズル
【図１】
2005313369.tif 000003
【図２】
2005313369.tif 000004
【図３】
2005313369.tif 000005
【図４】
2005313369.tif 000006
【図５】
2005313369.tif 000007
【図６】
2005313369.tif 000008
【図７】
2005313369.tif 000009
【図８】
2005313369.tif 000010